(57)【特許請求の範囲】
【請求項１】
原稿台と、
前記原稿台に配置された原稿をフラットベッド方式で読み取る読取部と、
表示部と、
制御部と、
を備えた画像読取装置であって、
前記制御部は、
原稿の読み取り指示を受け付けたことを条件として、前記読取部を初期位置から読取方向に移動させながら原稿の読み取りを実行する読取手段と、
前記読取部の前記読取方向への移動に伴う原稿の読み取りが完了した後、前記読取部を、前記読取方向とは反対方向に移動させる復帰手段と、
原稿の読み取り指示を受け付けたことを条件として、次の原稿が存在することを指示するための第１操作子と、次の原稿が存在しないことを指示するための第２操作子とを含む第１画面を前記表示部に表示する第１表示手段と、
前記第１操作子に対する操作を受け付けた場合、前記読取部の前記読取方向への移動に伴う原稿の読み取りが完了したことを条件として、次の原稿を前記原稿台に配置することを示すメッセージを含む第２画面を前記表示部に表示する第２表示手段と、
前記読取部の前記読取方向への移動に伴う原稿の読み取りが完了する前に、前記第２操作子に対する操作を受け付けた場合、前記画像読取装置が実行可能な機能を示すメニュー画面を前記表示部に表示する第３表示手段と、
前記第３表示手段によって表示された前記メニュー画面に対して、前記読取部の前記読取方向への移動に伴う原稿の読み取りが完了するまでは、前記原稿台に配置された原稿の移動の待機を促すメッセージを表示し、前記読取部の前記読取方向への移動に伴う原稿の読み取りが完了したことを条件として、前記原稿台に配置された原稿の移動の待機を促すメッセージを消去するメッセージ表示手段と、
を備えていることを特徴とする画像読取装置。
【請求項２】
前記制御部は、
前記読取部の前記読取方向への移動に伴う原稿の読み取りが完了する前に、前記第１操作子に対する操作を受け付けた場合、前記原稿台に配置された原稿の移動の待機を促す第３画面を前記表示部に表示する第４表示手段を備え、
第２表示手段は、
前記第４表示手段により前記第３画面が表示された場合、前記読取部の前記読取方向への移動に伴う原稿の読み取りが完了したことを条件として、前記第２画面を前記表示部に表示することを特徴とする請求項１記載の画像読取装置。
【請求項３】
前記制御部は、
前記第１操作子が操作されることなく、前記読取部の前記読取方向への移動に伴う原稿の読み取りが完了した場合、前記第１操作子の表示を継続する継続手段と、
前記読取部の前記読取方向への移動に伴う原稿の読み取りの完了後、所定の期間が経過したことを条件として、前記継続手段により表示が継続された第１操作子を消去する消去手段と、
を備えていることを特徴とする請求項１または２に記載の画像読取装置。
【請求項４】
前記読取手段は、前記第１操作子に対する操作を受け付けた場合、前記復帰手段により前記読取部が初期位置に復帰したことを条件として、前記原稿の読み取りを実行し、
前記第１表示手段は、前記第１操作子に対する操作を受け付けた場合、前記復帰手段により前記読取部が初期位置に復帰したことを条件として、前記第１画面を前記表示部に表示することを特徴とする請求項１から３のいずれかに記載の画像読取装置。
【請求項５】
前記第２画面は、次の原稿の配置完了を指示する第３操作子を含み、
前記読取手段は、前記第１操作子に対する操作を受け付けた場合、前記第３操作子に対する操作を受け付け、かつ、前記復帰手段により前記読取部が初期位置に復帰したことを条件として、前記原稿の読み取りを実行することを特徴とする請求項４に記載の画像読取装置。
【請求項６】
原稿台に対して開閉可能なカバーと、
前記カバーの開閉状態を検出する検出部と、
を備え、
前記読取手段は、前記第１操作子に対する操作を受け付けた場合、前記復帰手段により前記読取部が初期位置に復帰し、かつ、前記検出部により前記カバーの開閉が検出されたことを条件として、前記原稿の読み取りを実行することを特徴とする請求項４または５に記載の画像読取装置。
【請求項７】
前記制御部は、
前記第１操作子に対する操作を受け付けた場合、前記読取部の前記読取方向への移動に伴う原稿の読み取りが完了した後に、前記検出部により前記カバーが開いていることが検出された場合には、その旨を報せる画面を前記表示部に表示する第６表示手段を備えていることを特徴とする請求項６記載の画像読取装置。
【請求項８】
前記第２画面は、今回の原稿で読み取りを終了することを指示する第４操作子を含み、
前記制御部は、
前記第４操作子に対する操作を受け付けた場合、前記画像読取装置が実行可能な機能を示すメニュー画面を前記表示部に表示する第７表示手段を備えていることを特徴とする請求項１から７のいずれかに記載の画像読取装置。
【請求項９】
原稿台と、
前記原稿台に配置された原稿をフラットベッド方式で読み取る読取部と、
表示部と、
制御部と、
を備えた画像読取装置の、前記制御部が実行可能な画像読取プログラムであって、
原稿の読み取り指示を受け付けたことを条件として、前記読取部を初期位置から読取方向に移動させながら原稿の読み取りを実行する読取手段と、
前記読取部の前記読取方向への移動に伴う原稿の読み取りが完了した後、前記読取部を、前記読取方向とは反対方向に移動させる復帰手段と、
原稿の読み取り指示を受け付けたことを条件として、次の原稿が存在することを指示するための第１操作子と、次の原稿が存在しないことを指示するための第２操作子とを含む第１画面を前記表示部に表示する第１表示手段と、
前記第１操作子に対する操作を受け付けた場合、前記読取部の前記読取方向への移動に伴う原稿の読み取りが完了したことを条件として、次の原稿を前記原稿台に配置することを示すメッセージを含む第２画面を前記表示部に表示する第２表示手段と、
前記読取部の前記読取方向への移動に伴う原稿の読み取りが完了する前に、前記第２操作子に対する操作を受け付けた場合、前記画像読取装置が実行可能な機能を示すメニュー画面を前記表示部に表示する第３表示手段と、
前記第３表示手段によって表示された前記メニュー画面に対して、前記読取部の前記読取方向への移動に伴う原稿の読み取りが完了するまでは、前記原稿台に配置された原稿の移動の待機を促すメッセージを表示し、前記読取部の前記読取方向への移動に伴う原稿の読み取りが完了したことを条件として、前記原稿台に配置された原稿の移動の待機を促すメッセージを消去するメッセージ表示手段として、
前記制御部を機能させることを特徴とする画像読取プログラム。
【発明の詳細な説明】
【技術分野】
【０００１】
本発明は、画像読取装置および画像読取プログラムに関する。
【背景技術】
【０００２】
特許文献１には、フラットベッド読取部を読取位置の開始点から終了点まで移動させながら原稿を読み取り、読み取りが終了すると、フラットベッド読取部を読取位置の終了点から待機位置へ移動させる画像読取装置が記載されている。また、この画像読取装置は、読取動作中に、次の読取原稿の有無を質問表示することも記載されている。
【先行技術文献】
【特許文献】
【０００３】
【特許文献１】特開平１０−２８５３４８号公報
【発明の概要】
【発明が解決しようとする課題】
【０００４】
しかしながら、特許文献１の画像読取装置によれば、次の原稿の読み取りを所望するユーザは、読取動作中に、上記の質問表示がなされたものの、どのタイミングで次の原稿を原稿載置板にセットしてよいのか理解し難い。そのため、読取動作中に、ユーザにより、先の原稿が原稿載置板から取り除かれてしまうことで、良好な、先の原稿の読取結果が得られない場合や、読み取りが終了したにもかかわらず、読取部の待機位置への移動を待つことにより、次の原稿のセットが遅くなる場合があった。
【０００５】
本発明は、上述した事情を鑑みてなされたものであり、複数の原稿を連続的にフラットベッド方式の読み取りによって読み取る場合に、適切なタイミングで次の原稿のセットをユーザに促すことができる画像読取装置および画像読取プログラムを提供することを目的とする。
【課題を解決するための手段】
【０００６】
この目的を達成するために、本発明の画像読取装置は、原稿台と、前記原稿台に配置された原稿をフラットベッド方式で読み取る読取部と、表示部と、制御部と、を備えたものであって、前記制御部は、原稿の読み取り指示を受け付けたことを条件として、前記読取部を初期位置から読取方向に移動させながら原稿の読み取りを実行する読取手段と、前記読取部の前記読取方向への移動に伴う原稿の読み取りが完了した後、前記読取部を、前記読取方向とは反対方向に移動させる復帰手段と、原稿の読み取り指示を受け付けたことを条件として、次の原稿が存在することを指示するための第１操作子と、次の原稿が存在しないことを指示するための第２操作子とを含む第１画面を前記表示部に表示する第１表示手段と、前記第１操作子に対する操作を受け付けた場合、前記読取部の前記読取方向への移動に伴う原稿の読み取りが完了したことを条件として、次の原稿を前記原稿台に配置することを示すメッセージを含む第２画面を前記表示部に表示する第２表示手段と、前記読取部の前記読取方向への移動に伴う原稿の読み取りが完了する前に、前記第２操作子に対する操作を受け付けた場合、前記画像読取装置が実行可能な機能を示すメニュー画面を前記表示部に表示する第３表示手段と、前記第３表示手段によって表示された前記メニュー画面に対して、前記読取部の前記読取方向への移動に伴う原稿の読み取りが完了するまでは、前記原稿台に配置された原稿の移動の待機を促すメッセージを表示し、前記読取部の前記読取方向への移動に伴う原稿の読み取りが完了したことを条件として、前記原稿台に配置された原稿の移動の待機を促すメッセージを消去するメッセージ表示手段と、を備えている。
【０００７】
なお、本発明は、画像読取装置を制御する制御装置、画像読取システム、画像読取方法、画像読取プログラム、画像読取プログラムを記録する記録媒体等の種々の態様で構成できる。
【発明の効果】
【０００８】
請求項１記載の画像読取装置によれば、原稿台に配置された原稿をフラットベッド方式で読み取る読取部を備え、原稿の読み取り指示を受け付けたことを条件として、読取部を初期位置から読取方向に移動させながら原稿の読み取りが実行される。一方、原稿の読み取り指示を受け付けたことを条件として、次の原稿が存在することを指示するための第１操作子を含む第１画面と、次の原稿が存在しないことを指示するための第２操作子とが表示部に表示される。第１操作子に対する操作を受け付けた場合、読取部の読取方向への移動に伴う原稿の読み取りが完了したことを条件として、次の原稿を原稿台に配置することを示すメッセージを含む第２画面が表示部に表示される。よって、第２画面を見たユーザに、次の原稿をセットすべきであることを意識させることができる。読取部の読取方向への移動に伴う原稿の読み取りが完了した後には、読取部が読取方向とは反対方向に移動されるので、かかる読取部の移動中、すなわち、読取部の復帰中、第２画面を見たユーザに、次の原稿を原稿台にセットさせることができる。これにより、次の原稿があることがユーザにより指示されると、適切なタイミングで次の原稿のセットをユーザに促すことができる。
一方で、第１画面において読取部の読取方向への移動に伴う原稿の読み取りが完了する前に、第２操作子に対する操作を受け付けた場合には、メニュー画面が表示部に表示され、このメニュー画面には、読取部の読取方向への移動に伴う原稿の読み取りが完了するまでは、原稿台に配置された原稿の移動の待機を促すメッセージが表示され、読取部の読取方向への移動に伴う原稿の読み取りが完了したことを条件として、原稿台に配置された原稿の移動の待機を促すメッセージが消去される。従って、メニュー画面によって次の原稿に対する設定ができるとともに、原稿の読み取りが完了したことをユーザに認識させることができるので、適切なタイミングで次の原稿のセットをユーザに促すことができる。
【０００９】
請求項２記載の画像読取装置によれば、請求項１が奏する効果に加え、次の効果を奏する。読取部の読取方向への移動に伴う原稿の読み取りが完了する前に、第１操作子に対する操作を受け付けた場合には、原稿台に配置された原稿の移動の待機を促す第３画面が表示部に表示される。第３画面の表示後、読取部の読取方向への移動に伴う原稿の読み取りが完了したことを条件として、第２画面が表示部に表示される。よって、読み取り中の原稿が、原稿台から取り除かれる等によって移動されることを抑制できる。
【００１３】
請求項３記載の画像読取装置によれば、請求項１または２が奏する効果に加え、次の効果を奏する。第１操作子が操作されることなく、原稿の読み取りが完了した場合には、第１操作子の表示が継続され、当該第１操作子は、原稿の読み取りの完了後、所定の期間が経過したことを条件として消去される。よって、ユーザが第１操作子を操作されることなく、原稿の読み取りが完了した場合であっても、読み取りの完了後の所定の期間に亘って、第１操作子を操作できる機会を与えることができる。
【００１４】
請求項４記載の画像読取装置によれば、請求項１から３のいずれかが奏する効果に加え、次の効果を奏する。第１操作子に対する操作を受け付けた場合、読取部が初期位置に復帰したことを条件として、原稿の読み取りが実行されるともに、第１画面が表示部に表示される。よって、前の原稿に引き続いて、次の原稿の読み取りを行うことができるとともに、次の原稿が存在することを示す第１操作子の操作を受け付けることができる。
【００１５】
請求項５記載の画像読取装置によれば、請求項４が奏する効果に加え、次の効果を奏する。第１操作子が操作されたことに応じて、原稿の読み取りが完了した場合に表示される第２画面には、次の原稿の配置完了を示す第３操作子が含まれる。第１操作子に対する操作を受け付けた場合には、第３操作子に対する操作を受け付け、かつ、読取部が初期位置に復帰したことを条件として、原稿の読み取りが実行される。よって、次の原稿の読み取りを開始するためには、第３操作子に対する操作が必要となるので、次の原稿のセット忘れを好適に抑制できる。
【００１６】
請求項６記載の画像読取装置によれば、請求項４または５が奏する効果に加え、次の効果を奏する。第１操作子に対する操作を受け付けた場合、読取部が初期位置に復帰し、かつ、原稿台に対するカバーの開閉が検出部により検出されたことを条件として、原稿の読み取りが実行される。よって、次の原稿の読み取りを開始するためには、次の原稿のセットする際には欠かせないカバーを開閉する動作が必要となるので、次の原稿のセット忘れを好適に抑制できる。
【００１７】
請求項７記載の画像読取装置によれば、請求項６が奏する効果に加え、次の効果を奏する。第１操作子に対する操作を受け付けた場合、原稿の読み取りが完了した後に、検出部によりカバーが開いていることが検出された場合には、その旨を報せる画面が表示部に表示される。よって、カバーを開いた状態で原稿の読み取りが開始されることを抑制できる。
【００１８】
請求項８記載の画像読取装置によれば、請求項１から７のいずれかが奏する効果に加え、次の効果を奏する。第１操作子が操作されたことに応じて、原稿の読み取りが完了した場合に表示される第２画面には、今回の原稿で読み取りを終了することを示す第４操作子が含まれる。第４操作子に対する操作を受け付けた場合には、メニュー画面が表示部に表示される。よって、第１操作子が誤って操作された場合であっても、今回の原稿で読み取りを終了させることができる。
【００１９】
請求項９記載の画像読取プログラムによれば、請求項１の画像読取装置と同様の効果を奏する。
【図面の簡単な説明】
【００２０】
【図１】（ａ）は、スキャナの電気的構成を示すブロック図である。
【図２】スキャナの一部を簡略化して示す模式図である。
【図３】スキャナがフラットベッド方式で原稿を読み取る場合に表示される画面の画面遷移図である。
【図４】スキャナがフラットベッド方式で原稿を読み取る場合に表示される画面の画面遷移図である。
【図５】第２実施形態の画面遷移図の一例である。
【発明を実施するための形態】
【００２１】
以下、本発明の好ましい実施形態について、添付図面を参照して説明する。まず、図１から図４を参照して、本発明の第１実施形態を説明する。図１は、本発明の画像読取装置の一実施形態であるスキャナ１０の電気的構成を示すブロック図である。詳細は後述するが、本実施形態のスキャナ１０は、複数の原稿を連続的にフラットベッド方式によって読み取る場合に、適切なタイミングで次の原稿のセットをユーザに促すよう構成される。
【００２２】
スキャナ１０には、ＣＰＵ１１、ＲＯＭ１２、ＲＡＭ１３、ＥＥＰＲＯＭ１４、操作部１５、ＬＣＤ１６、ＣＩＳ１７、読取位置移動部１８、ＡＤＦ１９、カバー開閉検知センサ２０、ＵＳＢインターフェイス（ＵＳＢ＿Ｉ／Ｆ）２１、ネットワークインターフェイス（ネットワークＩ／Ｆ）２２が主に設けられる。これらの各部１１〜２２は、バスライン２３を介して互いに接続される。
【００２３】
ＣＰＵ１１は、ＲＯＭ１２に記憶される固定値やプログラム、ＲＡＭ１３に記憶されているデータに従って、スキャナ１０の各部を制御する。ＲＯＭ１２は、読み出し専用のメモリである。
【００２４】
ＲＯＭ１２には、スキャナ１０の動作を制御する制御プログラム１２ａや、制御プログラム１２ａを実行する際に参照する定数やテーブルなどが格納される。図３および図４を参照して後述するフラットベッド方式によるスキャナ１０の読み取り動作や、図３および図４の画面遷移図に示される各画面の表示制御は、ＣＰＵ１１が制御プログラム１２ａに従い実行する処理である。
【００２５】
ＲＡＭ１３は、ＣＰＵ１１の処理に必要な情報を一時的に記憶する書換可能な揮発性のメモリである。ＥＥＰＲＯＭ１４は、書換可能であるとともに、電源遮断後も内容を保持可能な不揮発性のメモリである。
【００２６】
操作部１５は、スキャナに設定値や指示など入力するためのものである。操作部１５としては、ＬＣＤ１６に重ねて設けられるタッチパネルや、メカニカルキーなどが例示される。ユーザがタッチパネルへのタッチ操作を行うと、ＣＰＵ１１は、タッチパネルからそのタッチ操作された位置を特定するための信号を受け付け、その位置に応じた処理を実行する。ＬＣＤ１６は、各種画面を表示する液晶表示装置である。
【００２７】
ＣＩＳ１７は、コンタクトイメージセンサ（Ｃｏｎｔａｃｔ  Ｉｍａｇｅ  Ｓｅｎｓｏｒ）で原稿を読み取る読取部である。ＣＩＳ１７は、主走査方向に直線状に配列された複数の受光素子を有するリニアイメージセンサ、ＲＧＢ３色の発光ダイオードを有する光源、原稿で反射された反射光をイメージセンサの各受光素子に結像させるロッドレンズアレイなどを有する。主走査方向とは、プラテンガラス４４，４５（図２参照）の面に平行な方向であり、かつ、読取位置移動部１８によるＣＩＳ１７の移動方向に直交する方向である。
【００２８】
読取位置移動部１８は、ＣＩＳ１７を副走査方向、すなわち、矢印Ｆ方向または矢印Ｂ方向（図２参照）に移動させるためのものである。読取位置移動部１８は、ステッピングモータであるモータ、当該モータをステップ駆動するための駆動信号を生成するモータ駆動部などを含む。
【００２９】
ＡＤＦ１９は、自動搬送装置である。ＡＤＦ１９は、原稿トレイ５８（図２参照）にセットされた原稿を、搬送経路に沿ってＣＩＳ１７による読取位置まで搬送させるとともに、ＣＩＳ１７による読み取り後の原稿を排紙トレイ５９（図２参照）まで搬送させる。
【００３０】
カバー開閉検知センサ２０は、原稿カバー４６（図２参照）の開閉状態を検知するセンサであり、原稿カバー４６が開かれているか、閉じられているかに応じた信号をＣＰＵ１１に出力する。ＣＰＵ１１は、カバー開閉検知センサ２０から入力された信号に基づき、原稿カバー４６の開閉状態を判断する。カバー開閉検知センサ２０としては、光学的センサや、接触式センサや、磁気センサなどの周知のセンサを採用できる。
【００３１】
ＵＳＢ＿Ｉ／Ｆ２１は、ＵＳＢプラグを介して、例えば、ＵＳＢメモリなどの記憶媒体や、パーソナルコンピュータやハードディスクなどの他の装置を通信可能に接続するための装置であり、周知の装置で構成される。ネットワークＩ／Ｆ２２は、スキャナ１０を、ＬＡＮやインターネットなどのネットワーク（図示せず）に接続するためのインターフェイスである。
【００３２】
図２は、スキャナ１０の一部を簡略化して示す模式図である。スキャナ１０の筐体４３は、概ね箱型に形成されており、上部に第１プラテンガラス４４と、第２プラテンガラス４５とが並設されている。
【００３３】
原稿カバー４６は、各プラテンガラス４４，４５を覆う閉姿勢と、各プラテンガラス４４，４５を開放する開姿勢とに回動可能に筐体４３に連結されている。原稿カバー４６には、ＡＤＦ１９、原稿トレイ５８、排紙トレイ５９などが設けられている。
【００３４】
ＡＤＦ１９の内部には、分離ローラ５０、分離ローラ５０を軸支する軸に基端側を軸支されたアーム５１の先端部に回転自在に設けられている吸入ローラ５２、複数の搬送ローラ５３，５４、排紙ローラ５５、これらに圧接する複数の従動ローラ５６が設けられている。原稿はこれらのローラに搬送されて搬送経路５７を搬送され、ＣＩＳ１７によって読み取られる位置を通過して、排紙トレイ５９に排紙される。
【００３５】
ＣＩＳ１７は、スキャナ１０の筐体４３の内部に収容されている。ＣＩＳ１７は、ＡＤＦ１９により搬送される原稿を読み取る場合、第２プラテンガラス４５の直下にて停止し、その位置を読取位置として、光源の色を順次切り替えながら、第２プラテンガラス４５を介して原稿を読み取る。一方、ＣＩＳ１７は、第１プラテンガラス４４上にセットされる原稿をフラットベッド方式で読み取る場合、読取位置移動部１８を用いて、ＣＩＳ１７を副走査方向（矢印Ｆ方向または矢印Ｂ方向）に一定速度で移動させつつ、光源の色を順次切り替えながら原稿を読み取る。
【００３６】
図３および図４は、スキャナ１０がフラットベッド方式で原稿を読み取る場合に、ＬＣＤ１６に表示される画面の画面遷移の一例を示す図である。画面遷移図の説明に先立ち、フラットベッド方式による一連の読み取り動作について説明する。以下の説明において、符号「Ｓ」は、ＣＰＵ１１が制御プログラム１２ａに従い実行する、スキャナ１０の読み取り動作に係る制御処理の各ステップであることを示す。
【００３７】
図３に示すように、待機状態のスキャナ１０において、スキャナ１０が実行可能な機能を示すメニュー画面７１に表示されるスタートボタン７１ａに対する操作を、ＣＰＵ１１が受け付けた場合、ＣＰＵ１１は、フラットベッド方式による読取開始位置から原稿の読み取りを開始する（Ｓ１）。
【００３８】
ＣＰＵ１１は、読取位置移動部１８を用いて、ＣＩＳ１７を副走査方向における順方向（矢印Ｆ方向）に一定速度で移動させつつ、１ページ分の原稿の読み取りを実行する（Ｓ２）。以下、原稿の読み取りが開始されてから、１ページ分の原稿の読み取りが完了するまでのスキャナ１０の状態を、「読み取り中」と称す。
【００３９】
ＣＰＵ１１は、１ページ分の原稿の読み取りが完了すると（Ｓ３）、ＣＩＳ１７の復帰を開始する（Ｓ４）。ＣＰＵ１１は、読取位置移動部１８を用いて、ＣＩＳ１７を副走査方向における逆方向（矢印Ｂ方向）に移動させる（Ｓ４）。以下、ＣＩＳ１７の復帰が開始されてから、１ページ分の原稿の読み取りが完了するまでのスキャナ１０の状態を、「復帰中」と称す。
【００４０】
ＣＰＵ１１は、ＣＩＳ１７が所定の待機位置、例えば、ＣＩＳ１７のホームポジションに達したことにより、ＣＩＳ１７の復帰が完了した場合、次ページがないことを条件として、スキャナ１０を待機状態とする（Ｓ６）。一方、ＣＩＳ１７の復帰が完了した場合、次ページがあり、かつ、カバー開閉検知センサ２０が読み取りの完了後に原稿カバー４６の開閉を検知したことを条件として、次ページの原稿の読み取りを開始する（Ｓ７）。
【００４１】
本実施形態では、Ｓ７において、ＣＰＵ１１は、矢印Ｂ方向に移動するＣＩＳ１７がフラットベッド方式による読取開始位置に達した場合に、ＣＩＳ１７の復帰が完了したとする。なお、ＣＩＳ１７が一旦所定の待機位置に戻った後で、矢印Ｆ方向に再度移動させたＣＩＳ１７がフラットベッド方式による読取開始位置に達した場合に、ＣＩＳ１７の復帰が完了したとしてもよい。また、Ｓ６のように、ＣＩＳ１７が所定の待機位置に達したことで、ＣＩＳ１７の復帰が完了したとする構成であってもよい。
【００４２】
Ｓ６において、「次ページがない」とは、後述する次ページなしボタン７２ｂ，７５ｂのいずれかが操作された場合、終了指示ボタン７３ｃが操作された場合、または、スキャン完了画面７５の表示後、何も操作されることなく、所定時間（例えば、１０秒）が経過した場合である。一方、Ｓ７において、「次ページがある」とは、後述する次ページありボタン７２ａ，７５ａのいずれかが操作され、かつ、ＯＫボタン７３ｂ，７６ｂのいずれかが操作された場合である。
【００４３】
以下、画面遷移について説明する。以下の説明において、符号「Ｔ」は、ＣＰＵ１１が制御プログラム１２ａに従い実行する、画面遷移に係る制御処理の各ステップであることを示す。
【００４４】
図３に示すように、待機状態のスキャナ１０において、ＣＰＵ１１は、スキャナ１０が実行可能な機能を示すメニュー画面７１をＬＤＣ１６に表示する。メニュー画面７１は、原稿の読み取りの開始を指示するスタートボタン７１ａを含む。スタートボタン７１ａに対する操作を、ＣＰＵ１１が受け付けた場合、ＣＰＵ１１は、読み取りの実行中であることを示すスキャン中画面７２を表示する（Ｔ１）。
【００４５】
Ｔ１にて表示されるスキャン中画面７２には、連続的に読み取る次ページが存在することを指示する次ページありボタン７２ａと、次ページが存在しないことを指示する次ページなしボタン７２ｂとを含む。以下、ボタン７２ａ，７２ｂを含むスキャン中画面７２を、スキャン中画面７２Ａと称す。
【００４６】
ボタン７２ａ，７２ｂのいずれも操作されることなく、１ページ分の原稿の読み取りが完了した場合、ＣＰＵ１１は、スキャン中画面７２Ａの表示を継続する（Ｔ２）。ボタン７２ａ，７２ｂのいずれも操作されることなく、ＣＩＳ１７の復帰が開始された場合、図４に示すように、ＣＰＵ１１は、スキャン中画面７２Ａの表示を継続する（Ｔ３）。
【００４７】
ボタン７２ａ，７２ｂのいずれも操作されることなく、ＣＩＳ１７の復帰が完了した場合、ＣＰＵ１１は、一連の読み取り動作が完了したことを示すスキャン完了画面７５を表示する（Ｔ４）。
【００４８】
スキャン完了画面７５は、連続的に読み取る次ページが存在することを指示する、ボタン７２ａと同様の次ページありボタン７５ａと、次ページが存在しないことを指示する、ボタン７２ｂと同様の次ページなしボタン７５ｂとを含む。つまり、ＣＩＳ１７の復帰が完了し、一連の読み取り動作が完了したことに伴い、ＬＣＤ１６の表示内容が、スキャン中画面７２Ａからスキャン終了画面７５に切り替わるものの、連続的に読み取る次ページが存在することを指示するボタンと、次ページが存在しないことを指示するボタンの表示は、スキャン終了画面７５においても継続される。
【００４９】
スキャン完了画面７５の表示後、ボタン７５ａ，７５ｂのいずれも操作されることなく、所定時間（例えば、１０秒）が経過した場合、ＣＰＵ１１は、タイムアウトであるとして、メニュー画面７１をＬＤＣ１６に表示する（Ｔ５）。スキャン完了画面７５の表示中、次ページなしボタン７５ｂに対する操作を、ＣＰＵ１１が受け付けた場合、ＣＰＵ１１は、メニュー画面７１をＬＤＣ１６に表示する（Ｔ６）。
【００５０】
図３に戻って説明する。読み取り中のスキャナ１０において、スキャン中画面７２Ａに表示される次ページありボタン７２ａに対する操作を、ＣＰＵ１１が受け付けた場合、ＣＰＵ１１は、スキャン中画面７２Ａから、ボタン７２ａ，７２ｂを消去し、読み取りの完了を待つよう促すメッセージ７２ｃを表示する（Ｔ７）。以下、ボタン７２ａ，７２ｂを含まず、メッセージ７２ｃを含むスキャン中画面７２を、スキャン中画面７２Ｂと称す。
【００５１】
スキャン中画面７２Ｂの表示中、１ページ分の原稿の読み取りが完了した場合、ＣＰＵ１１は、確認画面７３をＬＣＤ１６に表示する（Ｔ８）。確認画面７３は、次ページの原稿を第１プラテンガラス４４上にセットすることを促すメッセージ７３ａと、次ページの原稿のセットが完了したことを指示するＯＫボタン７３ｂと、読み取りの終了を指示する終了指示ボタン７３ｃとを含む。
【００５２】
ＯＫボタン７３ｂに対する操作を、ＣＰＵ１１が受け付けた場合、ＣＰＵ１１は、読み取りの完了後に原稿カバー４６が開閉されたことを、カバー開閉検知センサ２０が検知したこと条件として、スキャン中画面７２ＡをＬＣＤ１６に表示する（Ｔ１０）。かかる場合、ＣＩＳ１７の復帰完了後において、次ページがあり、かつ、カバー開閉検知センサ２０が原稿カバー４６の閉鎖を検知するという条件が成立するので、ＣＰＵ１１は、次ページの原稿の読み取りを開始する（Ｓ７）。
【００５３】
一方、ＯＫボタン７３ｂに対する操作を、ＣＰＵ１１が受け付けた場合に、カバー開閉検知センサ２０が原稿カバー４６の開放を検知した場合、ＣＰＵ１１は、エラー画面７４をＬＣＤ１６に表示する（Ｔ１１）。エラー画面７４は、原稿カバー４６が開いていることを示すメッセージ７４ａと、エラー画面７４の確認完了を示すＯＫボタン７４ｂとを含む。
【００５４】
ＯＫボタン７４ｂに対する操作を、ＣＰＵ１１が受け付けた場合、ＣＰＵ１１は、カバー開閉検知センサ２０が原稿カバー４６の閉鎖を検知したことを条件として、スキャン中画面７２Ａの表示（Ｔ１２）を実行する。かかる場合、ＣＩＳ１７の復帰完了後において、次ページがあり、かつ、カバー開閉検知センサ２０が原稿カバー４６の閉鎖を検知するという条件が成立するので、ＣＰＵ１１は、次ページの原稿の読み取りを開始する（Ｓ７）。
【００５５】
確認画面７３の終了指示ボタン７３ｃに対する操作を、ＣＰＵ１１が受け付けた場合、ＣＰＵ１１は、メニュー画面７１をＬＣＤ１６に表示する（Ｔ１３）。よって、スキャン中画面７２Ａにて、次ページありボタン７２ａに対する操作が行われたにもかかわらず、確認画面７３にて、終了指示ボタン７３ｃに対する操作が行われた場合には、原稿の読み取りは行われず、スキャナ１０は、ＣＩＳ１７の復帰が完了すると、待機状態とされる。
【００５６】
読み取り中のスキャナ１０において、スキャン中画面７２Ａに表示される次ページなしボタン７２ｂに対する操作を、ＣＰＵ１１が受け付けた場合、ＣＰＵ１１は、メニュー画面７１をＬＣＤ１６に表示する（Ｔ１４）。ただし、Ｔ１４の処理により表示されるメニュー画面７１は、メッセージ７２ｃと同様の、読み取りの完了を待つよう促すメッセージ７１ｂを含む。ＣＰＵ１１は、原稿の読み取りが完了したことを条件として、メッセージ７１ｂを消去する（Ｔ１５）。
【００５７】
読み取りが完了したスキャナ１０において、スキャン中画面７２Ａに表示される次ページありボタン７２ａに対する操作を、ＣＰＵ１１が受け付けた場合、ＣＰＵ１１は、確認画面７３をＬＣＤ１６に表示する（Ｔ１６）。一方、読み取りが完了したスキャナ１０において、スキャン中画面７２Ａに表示される次ページなしボタン７２ｂに対する操作を、ＣＰＵ１１が受け付けた場合、ＣＰＵ１１は、メニュー画面７１をＬＣＤ１６に表示する（Ｔ１７）。
【００５８】
図４に示すように、復帰中のスキャナ１０において、スキャン中画面７２Ａに表示される次ページありボタン７２ａに対する操作を、ＣＰＵ１１が受け付けた場合、ＣＰＵ１１は、確認画面７３をＬＣＤ１６に表示する（Ｔ１８）。一方、復帰中のスキャナ１０において、スキャン中画面７２Ａに表示される次ページなしボタン７２ｂに対する操作を、ＣＰＵ１１が受け付けた場合、ＣＰＵ１１は、メニュー画面７１をＬＣＤ１６に表示する（Ｔ１９）。
【００５９】
スキャン完了画面７５の表示中、次ページありボタン７５ａに対する操作を、ＣＰＵ１１が受け付けた場合、確認画面７６をＬＣＤ１６に表示する（Ｔ２０）。確認画面７６は、次ページの原稿を第１プラテンガラス４４上にセットすることを促すメッセージ７６ａと、次ページの原稿のセットが完了したことを指示するＯＫボタン７６ｂとを含む。つまり、確認画面７６は、読み取りの終了を指示する終了指示ボタンを含まない点で、確認画面７３と異なる。
【００６０】
ＯＫボタン７６ｂに対する操作を、ＣＰＵ１１が受け付けた場合、ＣＰＵ１１は、読み取りの完了後に原稿カバー４６が開閉されたことを、カバー開閉検知センサ２０が検知したこと条件として、スキャン中画面７２ＡをＬＣＤ１６に表示する（Ｔ２１）。
【００６１】
一方、ＯＫボタン７６ｂに対する操作を、ＣＰＵ１１が受け付けた場合に、カバー開閉検知センサ２０が原稿カバー４６の開放を検知した場合、ＣＰＵ１１は、エラー画面７４をＬＣＤ１６に表示する（Ｔ２２）。ＯＫボタン７４ｂに対する操作を、ＣＰＵ１１が受け付けた場合、ＣＰＵ１１は、カバー開閉検知センサ２０が原稿カバー４６の閉鎖を検知したことを条件として、スキャン中画面７２ＡをＬＣＤ１６に表示する。
【００６２】
上記第１実施形態によれば、スキャン中画面７２Ａの次ページありボタン７２ａを操作することによって、現在の原稿の読み取りが完了した後、連続して、次ページの原稿の読み取りを行うことができる。
【００６３】
次ページありボタン７２ａが操作された場合、原稿の読み取りが完了したことを条件として、次ページの原稿を第１プラテンガラス４４上にセットすることを促すメッセージ７３ａを含む確認画面７３が表示される。よって、確認画面７３を見たユーザに、次ページの原稿をセットすべきであることを意識させることができる。原稿の読み取りが完了した後には、ＣＩＳ１７の復帰が開始されるので、ＣＩＳ１７の復帰中に、確認画面７３を見たユーザに、次ページの原稿をセットさせることができる。これにより、複数の原稿を連続的にフラットベッド方式によって読み取る場合に、適切なタイミングで次の原稿のセットをユーザに促すことができる。
【００６４】
確認画面７３の表示は、次ページありボタン７２ａに対する操作がされたことを条件として表示される。よって、確認画面７３は、その表示を必要とする場合にのみ表示されるので、確認画面７３が、次ページの原稿が有無にかかわらず、原稿の読み取りが完了する毎に表示される場合に比べ、煩わしさを与えることがなく、ユーザの利便性が良い。
【００６５】
また、原稿の読み取り完了後も、スキャン中画面７２Ａの表示が継続されるとともに、ＣＩＳ１７の復帰が完了した後も、所定時間（例えば、１０秒）に亘って、次ページありボタン７２ａまたは次ページありボタン７５ａの表示が継続される。よって、これらのボタン７２ａ，７５ａが表示されている間は、ボタン７２ａ，７５ａの操作機会を与えることができる。また、ボタン７２ａ，７５が操作されたことに応じて、次ページの原稿を第１プラテンガラス４４上にセットすることを促すメッセージ７３ａ，７６ａが表示されるので、上記と同様、適切なタイミングで次の原稿のセットをユーザに促すことができる。
【００６６】
次ページありボタン７２ａが操作されたことに応じて表示される確認画面７３には、次ページの原稿のセット完了を示すＯＫボタン７３ｂが表示される。同様に、次ページありボタン７５ａが操作されたことに応じて表示される確認画面７６にも、次ページの原稿のセット完了を示すＯＫボタン７６ｂが表示される。ＯＫボタン７３ｂ，７６ｂが操作されたことを条件として、次ページの原稿の読み取りが読取開始位置から開始される。つまり、次ページの原稿の読み取りを開始するためには、ユーザによるＯＫボタン７３ｂ，７６ｂの操作が必要となるので、ユーザが次ページの原稿をセットし忘れることを好適に抑制できる。
【００６７】
特に、ＯＫボタン７３ｂ，７６ｂが操作された場合であっても、読み取りの完了後に原稿カバー４６が開閉されたことを、次ページの読み取り開始の条件とする。次ページを第１プラテンガラス４４にセットするためには、原稿カバー４６の開閉が必須であるため、読み取りの完了後に原稿カバー４６が開閉されたことを、次ページの読み取り開始の条件とすることにより、次ページの原稿のセット忘れを好適に抑制できる。ＯＫボタン７３ｂ，７６ｂが操作された場合に、原稿カバー４６が開いている場合には、エラー画面７４が表示されるので、原稿カバー４６が開いた状態で読み取りが開始されることを抑制できる。
【００６８】
次ページありボタン７２ａが原稿の読み取り中に操作された場合には、読み取りの完了を待つよう促すメッセージ７２ｃが表示される。よって、メッセージ７２ｃを見たユーザに、原稿の読み取りが完了する前に、読み取り対象としてセットされている原稿を取り出さない意識させることができる。つまり、メッセージ７２ｃを含むスキャン中画面７２Ｂは、セットされた原稿の移動の待機を促す画面として機能する。よって、原稿の読み取りが完了する前に、読み取り中の原稿が移動されることを抑制できる。
【００６９】
一方、原稿の読み取りが完了する前に、スキャン中画面７２Ａの次ページなしボタン７２ｂが操作された場合には、原稿の読み取りが完了したことを条件として、メニュー画面７１が表示される。よって、原稿の読み取りは現在読み取り中の原稿が最後であり、読み取るべき次の原稿が存在しないことをユーザに印象付けることができる。
【００７０】
また、原稿の読み取りが完了する前に次ページなしボタン７２ｂが操作された操作されたことに応じてメニュー画面７１が表示された場合、原稿の読み取り中、読み取りの完了を待つよう促すメッセージ７１ｂが表示される。よって、メッセージ７１ｂを見たユーザに、原稿の読み取りが完了する前に、読み取り対象としてセットされている原稿を取り出さない意識させることができる。つまり、メッセージ７１ｂは、セットされた原稿の移動の待機を促すメッセージとして機能する。よって、原稿の読み取りが完了する前に、読み取り中の原稿が移動されることを抑制できる。
【００７１】
確認画面７３には、読み取りの終了を指示する終了指示ボタン７３が表示される。よって、次ページありボタン７２ａが誤って操作された場合であっても、終了指示ボタン７３を操作することによって、現在読み取り中の原稿を最後に、読み取りを終了することができる。
【００７２】
次に、図５を参照して、本発明の第２実施形態について説明する。上述した第１実施形態では、読み取り中のスキャナ１０において、スキャン中画面７２Ａに表示される次ページなしボタン７２ｂに対する操作が行われた場合には、読み取りの完了を待つよう促すメッセージ７１ｂを含むメニュー画面７１が表示される構成とした。
【００７３】
これに代えて、第２実施形態では、次ページなしボタン７２ｂに対する操作が行われた場合も、次ページありボタン７２ａに対する操作が行われた場合と同様、スキャン中画面７２Ｂを表示する。第２実施形態において、第１実施形態と同一の部分には同一の符号を付して、その説明を省略する。
【００７４】
図５は、第２実施形態の画面遷移の一例を示す図である。図５の画面遷移図に示される各画面の表示制御は、ＣＰＵ１１が第２実施形態の制御プログラム１２ａに従い実行する処理である。図５に示すように、読み取り中のスキャナ１０において、スキャン中画面７２Ａに表示される次ページなしボタン７２ｂに対する操作を、ＣＰＵ１１が受け付けた場合、ＣＰＵ１１は、メッセージ７２ｃを含むスキャン中画面７２ＢをＬＣＤ１６に表示する（Ｔ３１）。ＣＰＵ１１は、原稿の読み取りが完了したことを条件として、メニュー画面７１をＬＣＤ１６に表示する（Ｔ３２）。
【００７５】
上記第２実施形態によれば、原稿の読み取りが完了する前に、スキャン中画面７２Ａの次ページなしボタン７２ｂが操作された場合、読み取りの完了を待つよう促すメッセージ７２ｃが表示される。よって、メッセージ７２ｃを見たユーザに、原稿の読み取りが完了する前に、読み取り対象としてセットされている原稿を取り出さない意識させることができる。つまり、メッセージ７２ｃは、セットされた原稿の移動の待機を促すメッセージとして機能する。よって、原稿の読み取りが完了する前に、読み取り中の原稿が移動されることを抑制できる。
【００７６】
上記実施形態において、スキャナ１０が、画像読取装置の一例である。制御プログラム１２ａが、画像読取プログラムの一例である。ＣＰＵ１１が、制御部の一例である。ＣＩＳ１７が、読取部の一例である。第１プラテンガラス４４が、原稿台の一例である。ＬＣＤ１６が、表示部の一例である。原稿カバー４６が、カバーの一例である。カバー開閉検知センサ２０が、検出部の一例である。
【００７７】
スキャン中画面７２Ａが、第１画面の一例である。確認画面７３，７６が、第２画面の一例である。スキャン中画面７２Ｂが、第３画面の一例である。メニュー画面７１が、メニュー画面の一例である。エラー画面７４が、カバーが開いている旨を報せる画面の一例である。次ページありボタン７２ａ，７５ａが、第１操作子の一例である。メッセージ７３ａが、次の原稿を原稿台に配置することを示すメッセージの一例である。次ページありボタン７２ｂが、第２操作子の一例である。メッセージ７１ｂ，メッセージ７２ｃが、配置された原稿の移動の待機を促すメッセージの一例である。ＯＫボタン７３ｂ，７６ｂが、第３操作子の一例である。終了指示ボタン７３ｃが、第４操作子の一例である。読取開始位置が、初期位置の一例である。矢印Ｆ方向が読取方向の一例である。矢印Ｂ方向が読取方向とは反対方向の一例である。ＣＩＳの復帰が完了するまでの期間と、その後のスキャン完了画面７５がタイムアウトになるまでの期間とが、所定の期間の一例である。
【００７８】
Ｓ２の処理を実行するＣＰＵ１１が、読取手段の一例である。Ｔ１の処理を実行するＣＰＵ１１が、第１表示手段の一例である。Ｔ８，Ｔ１６の処理を実行するＣＰＵ１１が、第２表示手段の一例である。Ｓ５の処理を実行するＣＰＵ１１が、復帰手段の一例である。Ｔ７の処理を実行するＣＰＵ１１が、第４表示手段の一例である。Ｔ１４，Ｔ３２処理を実行するＣＰＵ１１が、第３表示手段の一例である。Ｔ３１の処理を実行するＣＰＵ１１が、第５表示手段の一例である。Ｔ３，Ｔ４の処理を実行するＣＰＵ１１が、継続手段の一例である。Ｔ５の処理を実行するＣＰＵ１１が、消去手段の一例である。Ｔ１１，Ｔ２２の処理を実行するＣＰＵ１１が、第６表示手段の一例である。Ｔ１３の処理を実行するＣＰＵ１１が、第７表示手段の一例である。Ｔ１５の処理を実行するＣＰＵ１１が、メッセージ表示手段の一例である。
【００７９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８０】
例えば、上記実施形態では、本発明の画像読取装置として、ＡＤＦ１９を有するスキャナ１０を例示したが、ＡＤＦを有さないスキャナであっても、本発明の画像処理装置として採用できる。また、フラットベッド方式により原稿の読み取りを実行可能な装置であれば、スキャナ１０に限らず、多機能周辺装置など種々の装置を採用できる。
【００８１】
上記実施形態では、スキャン中画面７２Ａが、次ページありボタン７２ａおよび次ページなしボタン７２ｂを含む構成としたが、次ページなしボタン７２ｂを設けず、次ページありボタン７２ａのみを含む構成としてもよい。
【００８２】
上記実施形態では、確認画面７３が、ＯＫボタン７３ｂおよび終了指示７３ｃを含む構成としたが、確認画面７３が、ＯＫボタン７３ｂおよび終了指示７３ｃを含まず、メッセージ７３ａのみを含む構成としてもよい。あるいは、確認画面７３が、メッセージ７３ａとＯＫボタン７３ｂとを含む構成としてもよい。同様に、確認画面７６が、ＯＫボタン７６ｂを含まず、メッセージ７６ａのみを含む構成としてもよい。
【００８３】
上記実施形態では、ＣＰＵ１１がＴ１４の処理にて表示するメニュー画面７１が、メッセージ７１ｂを含む構成としたが、メッセージ７１ｂを含まないメニュー画面７１を表示する構成としてもよい。
【００８４】
上記実施形態では、ＣＩＳ１７の復帰中にスキャン中画面７２Ａが表示される構成としたが、原稿の読み取り完了に伴い、ＬＣＤ１６の表示を、スキャン中画面７２Ａからスキャン完了画面７５に切り替える構成としてもよい。
【００８５】
上記実施形態では、スキャン中画面７２Ａの表示後に、スキャン完了画面７５を表示させる構成としたが、スキャン完了画面７５を表示させない構成としてもよい。つまり、ボタン７２ａ，７２ｂのいずれも操作されることなく、ＣＩＳ１７の復帰が完了した場合に、スキャン中画面７２Ａの表示を継続し、所定時間（例えば、１０秒）が経過した場合に、スキャン中画面７２Ａを消去する構成としてもよい。
【００８６】
上記実施形態では、次ページありボタン７５ａを含むスキャン完了画面７５の表示後、所定時間（例えば、１０秒）が経過すると、スキャン完了画面７５が消去されて、それに伴い、次ページありボタン７５ａが消去される構成とした。これに代えて、次ページありボタンが消去されるタイミングは、原稿の読み取り完了後であれば、どのタイミングであってもよい。例えば、ＣＩＳ１７の復帰中に、ＬＣＤ１６の表示を、スキャン中画面７２Ａからメニュー画面７１に切り替え、それによって、次ページありボタン７２ａを消去する構成としてもよい。あるいは、原稿の読み取り完了後、所定の期間が経過したタイミングで、スキャン中画面７２Ａまたはスキャン完了画面７５から、次ページありボタン７２ａ，７５ａを消去する構成であってもよい。
【００８７】
上記実施形態では、ＣＰＵ１１が、図３〜図５に記載されるスキャナ１０の読み取り動作や各画面の表示制御を実行する構成として説明したが、これら各図に記載される各処理を、複数のＣＰＵが協同的に実行する構成としてもよい。また、ＡＳＩＣなどのＩＣが、単独で、または、複数によって協働的に、上記各図に記載される各処理を実行する構成してもよい。また、ＣＰＵ１１とＡＳＩＣなどのＩＣとが協同して、上記各図に記載される各処理を実行する構成してもよい。
【００８８】
また、図３〜図５に示す各処理のうち、一部の処理を、特許請求の範囲における独立請求項から逸脱しない範囲で、省略または変更してもよい。また、上記実施形態により説明した各特徴や、上述した各変形例を適宜組み合わせて実施する構成としてもよい。
【符号の説明】
【００８９】
１０：スキャナ，１２ａ：制御プログラム
【図１】
0006413499.tif 000002
【図２】
0006413499.tif 000003
【図３】
0006413499.tif 000004
【図４】
0006413499.tif 000005
【図５】
0006413499.tif 000006